(57)【要約】      （修正有）【課題】洗濯により繰り返し使用可能であり、装着者を起立させたまま、装着させることができるおむつを提供する。【解決手段】おむつ１では、腰回りを周回して固定される腰周回部２と、臀部を覆うバックパーツ３と、バックパーツ３から延びて股部及び腹部を覆うフロントパーツ４とからなり、腰周回部２とバックパーツ３とは側縁で縫い合わされている。そして、バックパーツ３の上縁付近に縫い付けられたベルト９とその両端に取り付けられた帯紐１１、１１で、装着者の腰回りのサイズに合わせて腰周回部２を調節して、腰回りで固定できる。また、フロントパーツ４の先端部分に設けられた面ファスナー５によって、フロントパーツ４の先端を、腰周回部２と連結することができる。【選択図】図１
2016002132.tif 000002
【特許請求の範囲】
【請求項１】
装着者の腰を周回して当該腰に固定される伸縮自在の腰周回部と、
この腰周回部の臀部の上の位置から臀部にかけて延びるバックパーツと、
このバックパーツから延び、上記装着者の股部を経て下腹部を覆うフロントパーツと、
このフロントパーツの先端と上記腰周回部の下腹部の上の位置とを結合したり離間したりして着脱自在に連結する連結部とを備えたことを特徴とするおむつ。
【請求項２】
上記腰周回部の外側には、装着者の腰を周回し、この周回方向に沿って任意の長さで固定及びこの固定の解放が可能なベルトが取り付けられていることを特徴とする請求項１記載のおむつ。
【請求項３】
上記ベルトの内面は、上記腰周回部の外面に固定され、当該ベルトは当該腰周回部から離脱しないことを特徴とする請求項２記載のおむつ。
【請求項４】
上記ベルトの上記腰周回部への固定は、上記装着者の臀部の上付近の位置で行われることを特徴とする請求項３記載のおむつ。
【請求項５】
上記バックパーツの外側にはポケットが設けられ、このポケット内には板状のクッション体が収納及び取り出し可能となっていることを特徴とする請求項１記載のおむつ。
【請求項６】
上記ポケットは、上記介護者の臀部の左右に一対以上設けられ、この一対以上のポケットに上記クッション体がそれぞれ収納及び取り出しされることを特徴とする請求項５記載のおむつ。
【請求項７】
上記フロントパーツ及びバックパーツの端縁であって、上記装着者の股部に当たる付近の端縁から中央寄りの位置にはこの端縁に対して一定の距離を置いて縫合ラインが形成されていることを特徴とする請求項１、３または６記載のおむつ。
【請求項８】
上記フロントパーツ及びバックパーツは、非透水性または防水性であり、このフロントパーツ及びバックパーツの内側には、吸水性のシート状の吸水体が設けられ、この吸水体はおむつに対して離脱及び装着可能であることを特徴とする請求項１記載のおむつ。
【請求項９】
上記フロントパーツ及びバックパーツの非透水性または防水性の素材の内側または外側には、消臭機能または減菌機能を有する素材が設けられていることを特徴とする請求項８記載のおむつ。
【請求項１０】
上記フロントパーツまたはバックパーツの股部付近の外縁にはギャザーが設けられ、ギャザーの内側には、ギャザーのしわをとどめる境界ラインが形成され、この境界ラインの内側に上記縫合ラインが形成されていることを特徴とする請求項７記載のおむつ。
【発明の詳細な説明】
【技術分野】
【０００１】
本発明は、おむつに関し、特に洗濯により繰り返し使用が可能なおむつに関する。
【背景技術】
【０００２】
現在、介護施設及び障害者施設では、天然パルプ等を用いた使い捨てタイプのおむつを全面的に使用している施設が多い。しかし、使い捨てタイプのおむつを利用した場合、一人で一日に数十枚のおむつを使用する場合もあり、施設の経済的負担が大きくなるとともに、環境問題ともなっている。
【０００３】
一方、布おむつ等繰り返し使用するタイプのおむつにも、洗濯などに要する介護者の労働負担や臭い等の種々の問題があり、これを解消するためのさまざまな提案がなされている。
【０００４】
【特許文献１】特開２００３−１９９７７８
【発明の開示】
【発明が解決しようとする課題】
【０００５】
上記、介護用おむつでは、側面部が留めボタンによって仮留めできるだけなので、装着者を起立させたままおむつを装着する場合、おむつの固定が不十分であり、装着に手間がかかる等の欠点があった。
【課題を解決するための手段】
【０００６】
上記問題点を解決するために、本発明では、装着者の腰を周回して当該腰に固定される伸縮自在の腰周回部と、この腰周回部の臀部の上の位置から臀部にかけて延びるバックパーツと、このバックパーツから延び、上記装着者の股部を経て下腹部を覆うフロントパーツと、このフロントパーツの先端と上記腰周回部の下腹部の上の位置とを結合したり離間したりして着脱自在に連結する連結部とを備えた。
【発明の効果】
【０００７】
本発明のおむつによれば、装着者の腰を周回して当該腰に固定される腰周回部があるため、装着者を起立させたままおむつを装着者の腰周りに固定することができ、おむつの装着、パットの交換等を極めて容易に行うことができるため、介護者の負担が軽減され、併せて、装着者の排泄自立を促すことができる。
【０００８】
起立したままおむつの作業ができるので、フロントパーツとバックパーツとを背中側に回して移動でき、おむつが非常に汚れにくくなり、立ったままで装着者の下腹部または臀部の洗浄を容易に行うことができる。
【図面の簡単な説明】
【０００９】
【図１】おむつ１を展開した状態の内側正面を示す。
【図２】おむつ１を展開した状態の外側背面を示す。
【図３】おむつ１の着用状態を示す。
【図４】おむつ１の断面を示す。
【図５】パット固定シート３０の使用状態を示す。
【符号の説明】
【００１０】
１…おむつ  ２…腰周回部
３…バックパーツ  ４…フロントパーツ
５…面ファスナー  ６…縫合ライン
７…ギャザー  ８…ベルト通し  
９…ベルト  １０…ベルト縫い付け部  
１１…帯紐  １２…帯紐面ファスナー
１３…ポケット  １４…臀部転倒衝撃軽減パット  
１５…開口部  １６…腰横補助パット
１７…吸水パット  １８…吸水パットギャザー
１９…ずれ止めテープ  ２０…メッシュ加工光触媒加工生地  
２１…防水パイル  ２２…吸水布  
２３…吸水綿  ２４…吸水布  
２５…光触媒加工綿  ２８…境界ライン
３０…パット固定シート  ３１…シート面ファスナー
【発明を実施するための形態】
【００１１】
（１）おむつ１
図１は本発明の一実施例であるおむつ１を展開した状態での内側を示す正面図であり、図２は本おむつ１を展開した状態での外側を示す背面図である。
【００１２】
本発明のおむつ１は、装着者の腰を周回して伸縮自在の腰周回部２と、この腰周回部２の臀部の上の位置から臀部にかけて延びるバックパーツ３と、このバックパーツ３から延び、上記装着者の股部を経て下腹部を覆うフロントパーツ４からなっており、腰周回部２とバックパーツ３はウエスト位置が揃うように両側部で縫い合わされている。このように、本おむつ１は左右に見開きがないため、縫い合わせるのが容易であり、作業効率がよい。
【００１３】
（２）腰周回部２
腰周回部２は、環状の布製で、環の幅が２０センチほど、周囲の長さが数十センチメートル乃至１メートル前後で、装着者の腰回りを周回し、正面部においては腹部全体を覆う幅を有するように構成されている。腰周回部２の素材は、綿など吸水性のよいものでできている。
【００１４】
腰周回部２の上縁に沿って内部には環状のゴムバンドが縫いこまれているため、腰周回部２は周回方向に沿って伸縮性を有している。また、腰周回部２の腹側前面の外側は、雄雌兼用の面ファスナーとなっている。この腰周回部２は、装着者の腰の周囲の長さより長く、臀部周囲の長さより短く、上縁の内側にはゴムが縫いこまれており、これにより腰の周囲の長さより短くなるまで収縮し、腰回り全体を弾性的に覆い、装着者の腰に固定される。
【００１５】
したがって、装着者が起立したまま腰周回部２の上部を足からはいてウエスト部分まで持ち上げれば、腰回りに伸縮して弾性的に固定され、装着者が起立したままで介護者がおむつを装着したり、パット交換するのが極めて容易になる。
【００１６】
（３）バックパーツ３、フロントパーツ４
本おむつ１は、この腰周回部２の臀部の上の位置から臀部にかけて垂下してバックパーツ３が一体的に延びている。このバックパーツ３からさらにフロントパーツ４が一体的に延びており、上記装着者の股部を経て下腹部を覆っている。
【００１７】
腰周回部２は布製で、正面部と背面部とに分離され、この正面部と背面部とは、それぞれの端縁であって、装着者の左右の側部で縫合され、ウエスト位置が揃っている。また、バックパーツ３とフロントパーツ４と腰周回部２の背面部とは一体の一枚の布からなっていて、全体が略長方形状となっている。
【００１８】
フロントパーツ４の内側先端部分の縁には、両隅と縁の途中二か所の合計４か所にほぼ等間隔に雄雌兼用の面ファスナー５、５、５、５が縫合されており、本おむつ１の着用状態では、この面ファスナー５、５、５、５が、腰周回部２の正面部の布面と係着される。これによりフロントパーツ４の先端内側と上記腰周回部２の下腹の正面部の外側上の位置とを結合したり離間したりして着脱自在に連結できる構造となっている。
【００１９】
また、フロントパーツ４及びバックパーツ３の端縁であって、装着者の股部に当たる付近の端縁から中央寄りの位置にはこの端縁に対して一定の距離、例えばフロントパーツ４及びバックパーツ３の幅の１／３乃至１／１０ほどの距離を置いて縫合ライン６、６が形成されている。
【００２０】
縫合ライン６、６のそれぞれは、二本の縫合線からなり、一体成型されたバックパーツ３とフロントパーツ４の肌に触れる側で、バックパーツ３の上の腰周回部２の上端からフロントパーツ４の先端までほぼ直線状に延びている。
【００２１】
これにより、尿等排泄物がこの縫合ライン６、６から内側に吸収されやすくなり、外側に滲出するのが防がれ、外側に漏れにくくなる。また、バックパーツ３とフロントパーツ４の内側がサラサラになりやすく、装着者にとって付け心地がよいものとなり、本おむつ１の洗浄が容易になる。
【００２２】
また、一体成型されたバックパーツ３とフロントパーツ４の両側縁の足部が入って足の付け根部に接する部分、つまり股部付近の端縁には、ゴムバンドが内側に縫いこまれていて、ギャザー７、７を形成している。ギャザー７、７の内縁部は、上記縫合ライン６、６より外側で、腰周回部２の下あたりからフロントパーツ４の先端に当たる部分まで形成されている。このため、この部分が足の付け根部にフィットして、縫合ライン６、６で排泄物を吸収しきれなかった場合でも、足の付け根部周辺から尿等排泄物が漏れ出すのを防止している。
【００２３】
バックパーツ３及びフロントパーツ４の外面であって、上記ギャザー７、７から中央よりの内側の位置には、境界ライン２８、２８が形成されている。この境界ライン２８、２８は、バックパーツ３及びフロントパーツ４の布を堤状に押し上げて、この押し上げた根元を両外側から線状に縫合している。
【００２４】
この境界ライン２８、２８でギャザー７、７のしわが、バックパーツ３及びフロントパーツ４の中央部まで広がらずとどめられて、バックパーツ３及びフロントパーツ４をしわの無い比較的平坦な状態に保たれる。このようにギャザー７、７の内側には、ギャザー７、７のしわをとどめる境界ラインが形成されている。
【００２５】
この境界ライン２８、２８の一端はバックパーツ３の基部付近でバックパーツ３の外縁及び上記ギャザー７、７の外縁に合流し、また境界ライン２８、２８の他端はフロントパーツ４の先端付近でフロントパーツ４の外縁及び上記ギャザー７、７の外縁に合流している。これにより、ギャザー７、７のしわが腰周回部２まで広がらずとどめられ、おむつの腰付近の装着感が向上するし、ギャザー７、７のしわがフロントパーツ４の先端まで広がらずとどめられ、フロントパーツ４の腰周回部２への固定が向上する。
【００２６】
上記縫合ライン６、６は、この境界ライン２８、２８の内側に形成されている。これにより、ギャザー７、７のしわが縫合ライン６、６まで広がらず、縫合ライン６、６が装着者の表面にフィットし、排泄物が外部に漏れるのが防がれる。
【００２７】
（４）ベルト９
図２は、本おむつ１を展開した状態での外側を示す背面図である。腰周回部２の背面側上部付近には、縦に伸びる帯状のベルト通し８、８が二つ設けられ、このベルト通し８、８にベルト９が挿入挿通されてベルト９の上下の位置ずれが防止されている。
【００２８】
ベルト９の外側は、吸水性のよいメッシュ加工された生地を使用している。また、ベルト９は、装着者の臀部の上付近の位置で腰周回部２へ固定される。つまり、ベルト９の中央裏面は腰周回部２の背面中央に縫い付けられ、縫い付け部１０が形成されている。これにより、ベルト９は、装着者の腰回りで左右方向にもずれることがない。このように、ベルト９の内面は、腰周回部２の外面に固定され、当該ベルト９は当該腰周回部２から離脱しない構造となっている。
【００２９】
ベルト９は中央部分の上下幅が太く、左右の両先端の上下幅は細くなって、この両先端部分にゴム製で伸縮性のある長さ１０センチほどの細長い帯紐１１、１１の一端が縫い付けられており、左右の帯紐１１、１１のそれぞれの他端内側には雄雌兼用の帯紐面ファスナー１２、１２が縫合されている。
【００３０】
ベルト９は中央部分の上下幅を太くすることで、腰を支えて保護することができる。ベルト９と２本の帯紐１１、１１の合計の長さは腰周回部２の周回の長さよりも短い。また、腰周回部２の正面部全体にも雄雌兼用の面ファスナーが備えられているため、帯紐１１、１１の先端に縫い付けられた帯紐面ファスナー１２、１２を腰周回部２正面部の任意の位置に係合係着できる。
【００３１】
したがって、左右の帯紐面ファスナー１２、１２の間の腰周回部２の正面部部分は、左右から引っ張られて、しわがよらず、帯紐面ファスナー１２、１２の係止係着感、腰周回部２の装着者へのフィット感が良くなる。ベルト９と２本の帯紐１１、１１の合計の長さは腰周回部２の周回の長さよりも長いと、左右の帯紐面ファスナー１２、１２の間の腰周回部２の正面部部分は、左右から押し縮められてしわが寄ってしまうが、場合によってこのように長くてもよい。
【００３２】
また、腰回りの小さい人が装着する場合には帯紐面ファスナー１２、１２を腰周回部２の正面部の中央よりに、腰回りの大きい人が装着する場合には帯紐面ファスナー１２、１２を腰周回部２の正面部の側部よりに係着させることにより、腰周回部２の全周の長さを上限として、装着者の腰回りのサイズに合わせて、腰周回部２をしっかりと固定することができる。
【００３３】
また、帯紐１１、１１は腰周回部２正面部の上下幅より細く、例えば１／２乃至１／１０の幅、望ましくは１／５の幅となっているので、腰回りが、ベルト９の長さと帯紐１１、１１の合計の長さより小さい人が装着する場合でも、右側から回した帯紐１１の先端帯紐面ファスナー１２が左側から回した帯紐１１の先端の帯紐面ファスナー１２よりも左よりで、帯紐面ファスナー１２、１２を腰周回部２の正面部で互いに上下にずらして係着させれば、腰回りで本おむつ１をしっかりと固定させることができる。
【００３４】
また、腹部の形状は人によって異なるが、帯紐１１、１１の上下幅を腰周回部２正面部の上下幅より細くすることにより、帯紐１１、１１を締める上下位置も腹部の形状に合わせて装着者が着け心地がよいように任意に変えることができる。  
【００３５】
これにより、装着者の腰回りのサイズに合わせて、腰周回部２の大きさを調節して固定することができる。このように、腰周回部２の外側には、装着者の腰を周回し、この周回方向に沿って任意の長さで固定及びこの固定の解放が可能なベルト９が取り付けられている。したがって、腰周回部２の外でベルト９により固定が可能なため、装着者が立ったままで、おむつ１を装着者の腰回りにしっかりと固定することができるし、腰周りの緊縮の調整もできる。
【００３６】
（５）ポケット１３、１３、転倒衝撃軽減パット１４、１４、腰横補助パット１６、１６
装着者の左右の臀部には一対以上のポケット１３、１３設けられ、この一対以上のポケット１３、１３に転倒衝撃軽減パット１４、１４（クッション体）がそれぞれ収納及び取り出しされるようになっている。        
【００３７】
具体的には、図２に示すように、バックパーツ３の外側で装着者の左右の臀部に当たる部分には、中央に向かって内側にやや湾曲した略長方形型の一対のポケット１３、１３が設けられ、このポケット１３、１３内には板状の転倒衝撃軽減パット１４、１４（クッション体）がポケットの上部に設けられた開口部１５、１５から収納及び取り出し可能となっている。
【００３８】
この転倒衝撃軽減パット１４、１４は、略長方形型をしており、ポケット１３、１３の形状に合わせて内側に向かってやや湾曲している。転倒衝撃軽減パット１４、１４は、表面がハニカムメッシュ等吸水性のよい素材でできており、内部に布団の中綿となるような素材、たとえば、低反発ウレタンなどが収納内蔵されている。
【００３９】
高齢者等は、骨がもろくなっており、軽い転倒でも骨折等大きな怪我につながることがあるため、転倒衝撃軽減パット１４、１４により、装着者が転倒した際にも最も衝撃を受けやすい臀部が保護され、骨折等の怪我を防止することができる。また、転倒衝撃軽減パット１４、１４の表面はメッシュ加工され高い吸水性があるため、尿等排泄物を吸収し、外に漏れるのを防ぐ。
【００４０】
転倒衝撃軽減パット１４、１４が排泄物等により汚れてしまった場合には、転倒衝撃軽減パット１４、１４をポケット１３、１３から取り出して洗濯すれば、繰り返し使用することができる。また、これによりおむつ１本体が分厚くならず、洗濯の際に素早く乾かすことができる。むろん、転倒衝撃軽減パット１４、１４を腰周回部２に縫い着けたり内蔵したり一体化したりしてもよい。
【００４１】
また、ベルト９とバックパーツ３、腰周回部２正面部の間で、腰の左右の位置には、腰横補助パット１６、１６を挿入して挟んで保持することができる。腰横補助パット１６、１６は略長方形型をしており、外生地は吸水性のよいメッシュ加工がされており、内側に衝撃を吸収する素材、例えば、低反発ウレタンが収納内蔵されている。
【００４２】
また、腰横補助パット１６、１６の裏側の表面には、面ファスナーが複数個所に縫い付けられており、これにより、腰周回部２の正面部に設けられた面ファスナーに落下しないように係着させることができ、さらにベルト９とバックパーツ３、腰周回部２正面部で挟むことにより、装着者の腰横にしっかりと固定することができる。これにより、装着者が転倒した際に、骨折しやすい骨盤側部を保護することができる。
【００４３】
腰横補助パット１６、１６は装着、取り外しが可能であるため、装着者の腰横の任意の位置にとりつけることができる。また、腰横補助パット１６、１６のみを取り出して洗濯することができるため、おむつ１本体が分厚くならず、洗濯の際に素早く乾かすことができる。むろん、腰横補助パット１６、１６を腰周回部２に縫い着けたり内蔵させたり一体化したりしてもよい。
【００４４】
（６）層構造  
フロントパーツ４及びバックパーツ３の非透水性または防水性の素材の内側または外側には、消臭機能または減菌機能を有する素材が設けられている。図４には、バックパーツ３及びフロントパーツ４の断面の積層構造を示しており、図４の上側が肌に触れる内側、下側が外側に当たる。
【００４５】
バックパーツ３及びフロントパーツ４は、肌に触れる側から順に、メッシュ加工光触媒加工生地２０、防水パイル２１、吸水布２２、吸水綿２３、吸収布２４、光触媒加工綿２５の６層が積層された構造となっており、端縁全体は折り返されて一番外側の光触媒加工綿２５が、他の５層を覆う構造となっている。これにより、端縁がざらつかずごわごわすることがなく、装着者が快適に装着することができる。
【００４６】
防水パイル２１の内側で装着者の肌に直接触れる部分には、メッシュ加工及び光触媒加工を施した素材が使用されている。このメッシュ加工のため、尿等排泄物が吸収されやすく、装着者にとって着け心地のよいものとなっている。また、素材繊維の表面には特殊なバインダーが埋め込まれ、このバインダーには活性酸化チタン、二酸化チタン等が付加されており、優れた抗菌作用と消臭作用を有する。
【００４７】
この素材では、尿等排泄物以外にも、汗、皮脂、インドール等の介護の際に頻繁に使用される薬品の臭い等も分解し、繊維に様々な臭いが着臭するのを防止することができ、併せて雑菌の繁殖をも防ぐことができる。また、人体への悪影響もないため安全性も高く、繰り返し洗濯によっても、消臭・減菌機能がそれほど低下しないため、汚れた液体を外へ漏らさず消臭、減菌できる。
【００４８】
さらに、６層構造の一番外側にも、綿、ポリウレタン等に光触媒加工が施されたものが使用されており、臭いが外に漏れるのを二重に防いでいる。このため、おむつ１を繰り返し使用しても、臭いが外に漏れることがなく、衛生的に使用することができる。
【００４９】
中間層に使用される吸水性のある生地としては、ポリエステル、綿などを使用している。
【００５０】
また、腰周回部２の正面部は、肌に触れる内側にバックパーツ３、及びフロントパーツ４の一番外側に用いられているのと同じ光触媒加工綿、外側に面ファスナーの２層構造となっている。内側の光触媒加工綿には消臭、滅菌作用があるため、汗、皮脂、排泄物等の臭いが気にならず、衛生的に使用することができる。
【００５１】
また、面ファスナーは正面部外側のみに設けられているので、ベルト９に縫い付けられた帯紐１１、１１の端に縫い付けられた帯紐面ファスナー１２、１２が内側に係着されることがなく、を装着者の腰回りサイズに合わせて、正面部外側の任意の位置で係着させることができる。  
【００５２】
本おむつの上記多層構造の中間に防水パイル２１があるので、内側の汚れがおむつの外側に達しない。防水パイル２１の内側には、吸水布２２、吸水綿２３、吸収布２４が無く、吸水機能が抑えられているので、おむつの内側が汚れを吸収してしまうことがなく、吸水パット１７に確実に吸収させ、さらに内側のメッシュ加工光触媒加工生地２０で、おむつの内側の汚れを消臭できる。むろん、防水パイル２１の内側に、吸水布２２、吸水綿２３、吸収布２４などの吸水機能のある素材が設けられてもよい。
【００５３】
防水パイル２１の外側に吸水布２２、吸水綿２３、吸収布２４があるので、おむつの外側の汚れは確実に吸収して、おむつの外の物に汚れが移るのが防止される。この汚れは、外側の光触媒加工綿２５で消臭されおむつの外に悪臭が広がらないようにできる。むろん、吸水布２２、吸水綿２３、吸収布２４、光触媒加工綿２５の一部は省略されてもよい。
【００５４】
（７）着用状態
図３は、着用状態でのおむつ１の正面図である。この図３には装着者は図示していない。介護者が、装着者におむつをはかせる手順は以下の通りである。まず、装着者を起立させ、腰周回部２の環部分に装着者の両足を入れさせ、おむつ１の上端部分を装着者のウエスト位置まで持ち上げる。ウエスト部分は、前述したように、ゴムが入っていて伸縮自在となっているため、腰周回部２の環部分が装着者の臀部を通過した後は、ウエスト部分でおむつ１が固定される。このため、装着者を立たせたまま、おむつの装着、パットの交換が容易になる。
【００５５】
そして、装着者のウエストサイズ、ヒップサイズに合わせて、ベルト９の一端に縫い付けられた帯紐１１、１１の先端内側に設けられた帯紐面ファスナー１２、１２を腰周回部２正面部の任意の位置に係着させる。これにより、装着者のウエストサイズ、ヒップサイズに合わせて腰のまわりでおむつ１をしっかり固定させることができ、おむつ１が下にずり落ちるなどの不具合がなくなる。
【００５６】
おむつ１を装着させる場合には、バックパーツ３を装着者の臀部に当て、これから一体的に伸びているフロントパーツ４の先端を装着者の股部、腹部に回して当てる。フロントパーツ４の先端部分内側に設けられた面ファスナー５、５、５、５により、装着者の臀部の大きさに合わせて、腰周回部２正面部の任意の位置に、フロントパーツ４の先端部分を係着させる。
【００５７】
なお、フロントパーツ４及びバックパーツ３は、非透水性または防水性であり、このフロントパーツ４及びバックパーツ３の内側には、吸水性のシート状の吸水体（吸水パット）１７が設けられ、この吸水体（吸水パット）１７はおむつ１に対して離脱及び装着可能である。吸収パット１７は、装着者の股部にフィットする程度の大きさの略長方形型をしており、左右両端の足部に当たる部分で、中央よりやや前側（腹部側）には、吸水パットギャザー１８、１８が施されていて、足部にフィットしやすいようになっている。
【００５８】
吸収パット１７の素材としては、尿等排泄物を吸収する素材、例えば、綿シートやポリマーシート等が使用されている。また、吸収パット１７の裏面には、フロントパーツ４の股部に固定可能なようにずれ止めテープ１９が吸収パット１７の中央より前側（腹部側）に設けられている。
【００５９】
したがって、尿の量が多い装着者に対しては、おむつ１の内側の股部に吸水パット１７を挿入し、この吸水パット１７を交換して使用することもできる。また、尿の量が少ない装着者に対しては、吸水パット１７を使用せず、本おむつ１のみを使用することもでき、それぞれの装着者の排泄パターンに合わせた使用が可能であり、装着者の排尿自立を促すことにもつながる。
【００６０】
図５は別実施例を示す。吸水パット１７を本おむつ１に固定させる手段としては、図５に示すようなパット固定シート３０を使用することもできる。パット固定シート３０は、たとえば、表面が滑らかな可撓性のある樹脂等からできており、略長方形である。パット固定シート３０の一方の面に両面テ―プを介在してシート面ファスナー３１、３１の非係合面が貼り付けられ、このシート面ファスナー３１、３１の係合面がフロントパーツ４の先端の内面に係着されて、パット固定シート３０がフロントパーツ４の先端の内面に固定される。
【００６１】
図５において、シート面ファスナー３１、３１は、パット固定シート３０の下縁に付着され、パット固定シート３０の下縁は、上記面ファスナー５、５の上縁に接している。これによりフロントパーツ４の先端で、上記面ファスナー５、５と重ならない位置にパット固定シート３０を係着させることができる。図５の左下部分は、シート面ファスナー３１、３１がパット固定シート３０から分離した状態を示している。
【００６２】
このパット固定シート３０の反対の面は表面が滑らかなので、吸水パット１７のずれ止めテープ１９が貼り付きやすくなっており、吸水パット１７がパット固定シート３０に接着される。したがって、フロントパーツ４の上に、パット固定シート３０を重ね、その上に吸水パット１７を重ねて使用する。
【００６３】
吸水パット１７は、男性では上部よりに、女性では下部よりに、おむつ１の中のそれぞれの使用者にあった位置にしっかりと固定することができ、吸水パット１７がおむつ１の中でずれるのを防ぐことができる。また、パット固定シート３０は、吸水性がないため、尿等排泄物をおむつ１本体に滲出させることがなく、吸水パット１７に充分吸収させることができる。
【００６４】
パット固定シート３０の幅方向の両端は、上記ギャザー７、７または境界ライン２８、２８の内側で、上記縫合ライン６、６の外側となっている。これにより、吸水パット１７の取り付け位置をを縫合ライン６、６の外側まで、ギャザー７、７または境界ライン２８、２８の付近まで調整できる。
【００６５】
パット固定シート３０の図５の縦方向の長さは、フロントパーツ４の半分ほどになっている。これにより、吸水パット１７を上記男性と女性とに合わせて、吸水パット１７を最適な位置に調整できる。なお、パット固定シート３０の長さは、フロントパーツ４または／及びバックパーツ３全体にわたって大きくてもよいし、フロントパーツ４の１／３、１／４、…まで短くてもよい。パット固定シート３０の幅は、境界ライン２８、２８またはギャザー７、７まで達していてもよいし、縫合ライン６、６の間隔より短くてもよい。
【００６６】
これまで、布おむつ等繰り返し使用するタイプのおむつでは、洗濯などに要する介護者の労働負担が大きくなってしまうため、使用が敬遠されてきた。しかし、本発明のおむつ１のように、装着者が起立したままでおむつの装着、パットの交換等が可能であり、適切なリハビリ機能を備えたおむつを使用することにより、装着者が排泄について自立能力を回復することができれば、逆に介護者の労働負担を軽減させることができる。
【００６７】
(８)他の実施の形態
本おむつ１は、バックパーツ３とフロントパーツ４が一体的となったものでもよいし、別々の部材を縫い合わせて連結したものを使用してもよい。また、バックパーツ３とフロントパーツ４を合わせたものは、略長方形状のものでもよいし、中央部分の幅がやや狭くなった鼓型のものでもよい。形状を鼓型とした場合には、側部が足部によりフィットしやすく履き心地のよいものとなる。
【００６８】
腰周回部２の形状は、上下幅が一定でなくても、環を形成するものであり、腹部正面部を覆うものであれば、どんな形状でもよい。また、正面部外側が面ファスナーでなくても、帯紐１１、１１の先端及びフロントパーツ４の先端が繰り返し、結合、離間が可能であれば、線ファスナー、粘着テープ、スナップボタン、フックとホック、ボタンとボタンホール、紐、磁石などどんなものでもよい。
【００６９】
腰周回部２の周回の任意の一箇所または複数個所に、線ファスナー、面ファスナー、粘着テープ、スナップボタン、フックとホック、ボタンとボタンホール、紐、磁石などが設けられ、腰周回部２が周回方向に分離及び連結可能とされて帯状に展開されてもよい。
【００７０】
本おむつ１は介護おむつ以外に、大人の尿漏れ対策、その他の大人用のおむつ、乳幼児用のおむつであってもよい。特に、子供の成長に合わせて、排泄自立を促すトレーニングパンツとして使用することも可能である。
【００７１】
バックパーツ３とフロントパーツ４の端縁の内側に設けられた縫合ライン６、６は、左右の側縁付近に２本でなくても、中央に一本あってもよいし、３本以上設けられていてもよい。また、縫合ライン６、６は直線状でなくても、ジグザグ型、波型等でもカーブしたり、円形、楕円形、方形または多角形の環状でもよく、バックパーツ３の上端からフロントパーツ４の先端まで設けられていなくても、股部に当たる部分の端縁のみに設けられていてもよい。
【００７２】
縫合ライン６は、境界ライン２８のように堤状でもよいし、逆向きの溝状でもよいし、ゴムバンドが内蔵されて縫合されたもの、おむつ１と別の細長い素材が縫合、係着、接着または連結されたものなど、汚れの拡散を防止できれば何でもよい。縫合ライン６は、境界ライン２８の外側に設けられてもよいし、境界ライン２８と同じ位置に設けられてもよい。
【００７３】
フロントパーツ４先端に設けられた面ファスナー５、５、５、５、ベルト９、帯紐１１、１１先端に設けられた帯紐面ファスナー１２、１２、縫い付け部１０は、これら以外でも、例えば、線ファスナー、スナップボタン、フックとホック、接着テープ、磁石、ボタンとボタンホール、紐など、腰周回部２、バックパーツ３、フロントパーツ４、ベルト９を、装着者の体のサイズに合わせて、互いに結合、離間可能なものであればどんなものでもよい。
【００７４】
ベルト９は、バックパーツ３の上部または腰周回部２の全周回に沿って、複数個所で縫いつけられていてもよく、また一切縫い付けられていなくてもよい。ベルト９をバックパーツ３に固定する手段は、縫い付け以外にも、線ファスナー、スナップボタン、フックとホック、粘着テープ、ボタンとボタン穴、紐、磁石等どんなものでもよい。
【００７５】
また、ベルト通し８、８はなくてもよいし、三つ以上あってもよい。ベルト通し８、８の形状は、ベルト９をバックパーツ３に対して固定できるものであれば、どんな形状でもよい。  ベルト９は、腰周回部２の全周囲に沿って取り付けられたゴムバンド、帯などでもよい。
【００７６】
帯紐１１、１１の先端どうしがベルトバックル、または面ファスナーの雄と雌等とになっていて、互いに係合され、本おむつ1が腰回りに緊縮されてもよいし、ベルト９及び帯紐１１、１１の全体の長さは、腰周回部２の周回の長さより短かったが、長くてもよいし、帯紐１１、１１の幅は、ベルト９の幅と同じでも太くても細くてもよい。環状の腰周回部２は一箇所で分離離間可能とされて着脱自在に開閉可能とされていてもよい。
【００７７】
転倒衝撃軽減パット１４及び腰横補助パット１６の個数は１つでも３つ以上でもよく、これに応じてポケット１３の数も増減されてもよく、素材は発泡ウレタンのほか、綿、空気マット、水マット、液体内蔵マットなど、衝撃を吸収できれば何でもよい。転倒衝撃軽減パット１４及び腰横補助パット１６の固定は、ポケット１３、面ファスナーのほか、縫い付け、線ファスナー、スナップボタン、フックとホック、粘着テープ、ボタンとボタン穴、紐、磁石等どんなものでもよい。
【００７８】
境界ライン２８は、ギャザー７のしわの拡散を防止できれば、縫合ライン６のような縫合による線状でもよいし、逆向きの溝状でもよいし、ゴムバンドが内蔵されて縫合されたものなど、しわの拡散を防止できれば何でもよい。
【００７９】
腰周回部２に一体に連結されるのはバックパーツ３ではなく、フロントパーツ４でもよく、代わりに、バックパーツ３の先端が面ファスナーなどで、腰周回部２の背面側に着脱自在にされてもよい。したがって、フロントパーツ４は腹側正面側にあるとは限らず、バックパーツ３は臀部側背面側にあるとは限らない。
【００８０】
フロントパーツ４の先端が係合係止されるのは、腰周回部２の前側の外面であったが、内側でもよい。これに応じて、腰周回部２の前側の内面に面ファスナーが形成され、上記フロントパーツ４の先端外側に面ファスナー５が縫合されて取り付けられ、この面ファスナー５は腰周回部２の腹側の内面に係止する。
【００８１】
腰周回部２の伸縮性は内蔵されるゴム紐のほか、材質自身が伸縮性のある織り方をされたシート素材からなっていてもよいし、伸縮性のある部分は腰周回部２の全体だけでなく、腰周回部２の一部であってもよいし、伸縮性は無くてもよい。バックパーツ３及びフロントパーツ４の吸水布２１、吸水綿２２、吸水布２３、光触媒加工綿２４の積層順番は一部または全部は入れ替わってもよい。腰周回部２の正面部は、２層構造ではなく、バックパーツ３及びフロントパーツ４と同様の６層構造でもよい。
【００８２】
ポケット１３、１３及び転倒衝撃軽減パット１４、１４の形状は、実施例に示したような中央に向かって内側にやや湾曲した略長方形でなくても、臀部を保護することができるものであれば、円形、楕円形、正方形、長方形、湾曲方向が内側ではなく外側、扁平な形状のほか、かまぼこ形、球体等の立体的な形状などどんな形状でもよい。また、表面が吸水性を有する素材でなくてもよい。開口部１５、１５は、ポケット１３、１３の上部ではなく、側部にあってもよい。
【００８３】
また、腰横補助パット１６、１６は、左右に一対でなくても、三つ以上あってもよいし、なくてもよい。形状も、長方形板状でなくて、円形、楕円形、正方形等どんな形状でもよい。腰横に固定する手段としては、ベルト９とバックパーツ、腰周回部２正面部の間に挟む以外にも、例えば、ベルト９の外側の腰横部分に縫い付けられていてもよいし、ベルト９またはバックパーツ３、フロントパーツ４に対し、粘着テープ、スナップボタン、ホックとフック、ボタンとボタン穴、磁石などどんな手段で固定されてもよい。  
【００８４】
本おむつ１の積層構造は、図４で示した６層構造のそれぞれの一部または全体はなくてもよいし、任意の１つまたは２つ以上の層が他の1つまたは２つの層と入れ替わってもよく、他の層がさらに付加、積層、混合されていてもよい。本おむつ１に用いられる布は、合成繊維、再生繊維、半合成繊維、天然繊維、人工繊維、化学繊維でもよいし、ゴム、不燃・難燃繊維：ガラス繊維、金属繊維、セラミック繊維、火山岩繊維、岩石繊維等、不燃性または難燃性の繊維で折られた布または不織布でもよいし、光触媒加工綿２５は、消臭機能のあるバンブー繊維他、消臭効果、保温効果、抗菌効果、乾燥効果、吸湿効果を奏する材質なら何でもよい。
【００８５】
吸水パット１７の形状、大きさは、装着者の体型、排泄パターン等に合わせて、様々なものが考えられ、略長方形以外にも、円形、楕円形、鼓型、かまぼこ形、球体などなんでもよい。また、素材も、尿等排泄物を吸収可能な素材であれば、綿、ポリエステル、紙パルプ製等なんでもよい。ずれ止めテープ１９は、無くてもよいし、複数あってもよい。位置も中央腹部よりでなくても、吸収パット１７裏面のどこにあってもよい。また、吸水パット１７をバックパーツ３の股部に固定する手段としては、粘着テープ以外でも、面ファスナー等なんでもよい。
【００８６】
パット固定シート３０は、ビニル製、ポリエチレン製などの樹脂製でなくても、可撓性があり、または表面が滑らかで、フロントパーツ４の内側と着脱可能であり、吸水パット１７と固着可能であれば、不燃紙、布製など、どんな素材でもよい。フロントパーツ４、吸水パット１７と固着させる方法は、線ファスナー、面ファスナー、粘着テープ、スナップボタン、ホックとフック、ボタンとボタン穴、磁石など、どんなものでもよい。
【００８７】
パット固定シート３０は、非吸水性の素材からなることが好ましいが、吸水性の素材でもよい。形状も、フロントパーツ４、吸水パット１７と固着できるものならば、略長方形でなくても、円形、楕円形、正方形、長方形、三角形、多角形、星形などの凹凸のある形状など、どんな形状でもよい。また、パット固定シート３０、シート面ファスナー３１、３１はなくてもよい。
【００８８】
腰周回部２、バックパーツ３、フロントパーツ４、面ファスナー５、縫合ライン６、ギャザー７、ベルト通し８、ベルト９、ベルト縫い付け部１０、帯紐１１、帯紐面ファスナー１２、ポケット１３、転倒衝撃軽減パット１４、開口部１５、腰横補助パット１６、吸水パット１７、吸水パットギャザー１８、ずれ止めテープ１９  メッシュ加工光触媒加工生地２０、防水パイル２１、吸水布２２、吸水綿２３、吸水布２４、光触媒加工綿２５、境界ライン２８、パット固定シート３０、シート面ファスナー３１のそれぞれの一部または全体はなくてもよいし、その数は増えても減ってもよいし、一部または全体は網状、メッシュ状でもよいし、その形状は任意に変更可能であり、均等の他のものに置き換えられてもよいし、これらの２つまたは３つ以上が合体または一体化されて兼用されていてもよい。
【００８９】
（９）他の発明の効果
［１］装着者の腰を周回して当該腰に固定される伸縮自在の腰周回部と、この腰周回部の臀部の上の位置から臀部にかけて延びるバックパーツと、このバックパーツから延び、上記装着者の股部を経て下腹部を覆うフロントパーツと、このフロントパーツの先端と上記腰周回部の下腹部の上の位置とを結合したり離間したりして着脱自在に連結する連結部とを備えたことを特徴とするおむつ。これにより、装着者を起立させたままでもおむつを装着者の腰回りで固定することができ、装着者を起立させたままでのおむつの装着、パット交換等が容易となる。
【００９０】
［２］上記腰周回部の外側には、装着者の腰を周回し、この周回方向に沿って任意の長さで固定及びこの固定の解放が可能なベルトが取り付けられていることを特徴とする請求項１記載のおむつ。これにより、装着者の腰回りのサイズに合わせて、装着者を起立させたままでもおむつを装着者の腰回りにしっかりと固定させることができ、併せて装着者の腰部を保護することができる。
【００９１】
［３］上記ベルトの内面は、上記腰周回部の外面に固定され、当該ベルトは当該腰周回部から離脱しないことを特徴とする請求項２記載のおむつ。これにより、ベルトが装着者の腰回りでずれることがなく、装着者が起立したままでおむつをさらにしっかりと固定することができる。
【００９２】
［４］上記ベルトの上記腰周回部への固定は、上記装着者の臀部の上付近の位置で行われることを特徴とする請求項３記載のおむつ。これにより、おむつが装着者の腰回りからずり落ちることがなく、装着者が起立したままでおむつを装着者の腰回りにしっかりと固定することができ、おむつを固定しても、装着者の歩行の自由が確保される。
【００９３】
［５］上記バックパーツの外側にはポケットが設けられ、このポケット内には板状のクッション体が収納及び取り出し可能となっていることを特徴とする請求項１記載のおむつ。これにより、装着者が転倒した場合に衝撃を吸収することができ、怪我を防止するとともに、排泄物等を吸収することもできるし、おむつとクッション体とを分離して洗濯できる。
【００９４】
［６］上記ポケットは、上記介護者の臀部の左右に一対以上設けられ、この一対以上のポケットに上記クッション体がそれぞれ収納及び取り出しされることを特徴とする請求項５記載のおむつ。これにより、装着者が転倒した場合に特に衝撃を受ける臀部が保護され、骨折などの怪我を防止できるし、おむつとクッション体とを分離して洗濯できる。
【００９５】
［７］上記フロントパーツ及びバックパーツの端縁であって、上記装着者の股部に当たる付近の端縁から中央寄りの位置にはこの端縁に対して一定の距離を置いて縫合ラインが形成されていることを特徴とする請求項１、３または６記載のおむつ。これにより、排泄物がフロントパーツ及びバックパーツの内側に吸収されやすくなり、排泄物が外部に漏れるのを防ぐことができる。
【００９６】
［８］上記フロントパーツ及びバックパーツは、非透水性または防水性であり、このフロントパーツ及びバックパーツの内側には、吸水性のシート状の吸水体が設けられ、この吸水体はおむつに対して離脱及び装着可能であることを特徴とする請求項１記載のおむつ。これにより、排泄量の多い装着者にも対応でき、各装着者の排泄パターンに合わせた対応が可能である。
【００９７】
［９］上記フロントパーツ及びバックパーツの非透水性または防水性の素材の内側または外側には、消臭機能または減菌機能を有する素材が設けられていることを特徴とする請求項８記載のおむつ。これにより、排泄物の匂い等が外に漏れるのを防ぎ、装着者にとっても付け心地のよいものとなり、繰り返し洗濯後も衛生的に使用することができる。
【００９８】
［１０］上記フロントパーツまたはバックパーツの股部付近の外縁にはギャザーが設けられ、ギャザーの内側には、ギャザーのしわをとどめる境界ラインが形成され、この境界ラインの内側に上記縫合ラインが形成されていることを特徴とする請求項７記載のおむつ。これにより、ギャザーのしわが縫合ラインに広がらず、縫合ラインが装着者の表面にフィットし、排泄物が外部に漏れるのを防ぐ。
【産業上の利用可能性】
【００９９】
本発明のおむつ１では、腰回りを周回して固定される腰周回部２と、臀部を覆うバックパーツ３と、バックパーツ３から延びて股部及び腹部を覆うフロントパーツ４とからなり、腰周回部２とバックパーツ３とは側縁で縫い合わされている。そして、バックパーツ３の上縁付近に縫い付けられたベルト９とその両端に取り付けられた帯紐１１、１１で、装着者の腰回りのサイズに合わせて腰周回部２を調節して、腰回りで固定できる。また、フロントパーツ４の先端部分に設けられた面ファスナー５によって、フロントパーツ４の先端を、腰周回部２と連結することができる。
【図１】
2016002132.tif 000003
【図２】
2016002132.tif 000004
【図３】
2016002132.tif 000005
【図４】
2016002132.tif 000006
【図５】
2016002132.tif 000007